(57)【要約】      （修正有）【課題】多量のパチンコ玉が同時に排出された場合であっても、中央底面に滞留することなく順次排出シュート方向に流れて排出されるアウト玉タンクを提供する。【解決手段】排出パチンコ玉受皿１０は、中央部に後方向に下り傾斜した中央底面１１と、該中央底面の両側に連接され、前方向ならびに中央底面側にかけて下り傾斜したパチンコ玉受面１２と、前記中央底面とパチンコ玉受面の前縁に立設された前壁１３と、前記パチンコ玉受面の各々三辺に立設され、前記中央底面側に切欠部を形成した周壁とを備えることによって、パチンコ機から排出されたパチンコ玉が中央底面の後方ならびに側方から幾つかに分流して中央底面に流入する。【選択図】図１
2007283051.tif 000002
【特許請求の範囲】
【請求項１】
パチンコ機に対して、前後、左右、ならびに上下方向に位置調整可能なアウト玉タンクにおいて、前記アウト玉タンクは、排出パチンコ玉受皿と、該排出パチンコ玉受皿を前後方向に調整可能に支持するパチンコ玉排出樋と、前記パチンコ玉排出樋を取付ベースに対して、左右ならびに上下に調整可能な調整部材と、前記アウト玉タンクをパチンコ機の背面に設けられた支持部材に取付ける取付ベースとを備え、
前記排出パチンコ玉受皿は、中央部に後方向に下り傾斜した中央底面と、該中央底面の両側に連接され、前方向ならびに中央底面側にかけて下り傾斜したパチンコ玉受面と、前記中央底面とパチンコ玉受面の前縁に立設された前壁と、前記パチンコ玉受面の各々三辺に立設され、前記中央底面側に切欠部を形成した周壁とを備えた
ことを特徴とするアウト玉タンク。
【請求項２】
前記調整部材は、パチンコ玉排出樋の下面に突設され、後壁下縁に切欠凹部を形成するとともに、前壁を後壁に対して長く形成した外筒と、後壁と前壁の下縁に弾性係合片を形成するとともに、両側壁の下縁から下側開口内部に延設された弾性片を備えた内筒と、前記内筒をスライド可能に支持するベース部材とを備え、前記内筒に形成された弾性係合片を前記外筒の後壁下縁に形成された切欠凹部から露出するようにして前記内筒を外筒に内嵌させるとともに、前記内筒に形成された弾性片を取付ベースに形成された係合部に弾接的に係合させることによって、前記内筒を前記取付ベースにスライド可能に嵌合支持し、前記パチンコ玉排出樋を前記取付ベースに対して上下、左右方向に調整可能に組付けた
ことを特徴とする請求項１項記載のアウト玉タンク。
【請求項３】
前記パチンコ玉排出樋は、パチンコ玉の排出方向に下り傾斜した排出通路と、少なくとも該排出通路の両側に立設された側壁と、該側壁の玉排出口側端縁に一体に設けられた排出シュート取付枠とを備え、前記排出シュート取付枠は、前記両側壁から各々外方向に延設された前板と、前記前板と対向して形成された後板と、前記前板と後板を連結する架設橋と、前記前板と後板と架設橋とで画成された排出シュートの取付空隔とを備え、かつ、前記前板と後板の長手方向の端部側に前記取付空隔内方向に折曲され、かつ、該折曲面を左右外方向に下り傾斜した排出シュート係止片を少なくとも前記前板と後板の一方の下縁に垂設するとともに、前記後板の取付空隔側に前記玉排出口と略同一幅を有する前記排出シュートの嵌合突壁を形成した
ことを特徴とする請求項１項ならびに２項のいずれかに記載のアウト玉タンク。
【請求項４】
前記排出シュートは、パチンコ玉の排出方向に下り傾斜した底壁と、該底壁の両縁に立設された前壁ならびに後壁と、該前壁と後壁の両端に形成された左右の壁と、それらの壁の内部に画成されたパチンコ玉通路を備えた略長矩形状を成し、その前壁と後壁の各々対向した位置に前記排出通路の玉排出口に対面する凹形状の切欠開放部を形成するとともに、先端側下面に垂設された前記排出シュート係止片に当接する係止突起を備え、前記パチンコ玉排出樋の玉排出口側端縁に一体に設けられた排出シュート取付枠に画成されている取付空隔内に、該排出シュートに形成されている凹形状の切欠開放部が前記排出シュート取付枠の後板に突設された嵌合突壁に嵌合するように、かつ、前記係止突起が排出シュート取付枠に形成された排出シュート係止片に当接するようにして配設された
ことを特徴とする請求項３項に記載のアウト玉タンク。
【請求項５】
前記排出シュートの後壁と前壁の左壁側に嵌合支持枠を形成するとともに、該嵌合支持枠に玉計数機を抱持した前記玉計数機保持枠を微揺動可能に嵌合係止した後に、該排出シュートを前記パチンコ玉排出樋の排出シュート取付枠に配設した
ことを特徴とする請求項３項ならびに４項のいずれかに記載のアウト玉タンク。
【発明の詳細な説明】
【技術分野】
【０００１】  本発明は、パチンコ機の背面側の取付ベース上に配設され、パチンコ機から排出されるアウト玉、セーフ玉等を受入れて、これをパチンコ玉回収装置に排出するためのアウト玉タンクに関する。
【背景技術】
【０００２】  従来、パチンコ機の背面側の取付ベース上に配設され、パチンコ機から排出されるアウト玉、セーフ玉等を受入れて、これをパチンコ玉回収装置に排出するためのアウト玉タンクとしては、特許第２７２１３２８号（特開平０９−１５５０３４号）に開示されているような構成が知られている。この先行技術では、アウト玉タンク本体を２部材（下タンクと上タンク）で構成して、このアウト玉タンク本体が前後方向に変化することにより、アウト玉の収容容積を変化させることができるものである。即ち、該上タンクが下タンクに対して前後方向にスライドすることができる構成となっている。そして、該アウト玉タンク本体は、支持用の玉タンク取付台に対し、左右方向および上下方向に調節できる。その一方、この発明では、下タンクのコ字状壁に形成された切欠開放口に対し、アウト玉タンク排出用シュートを取外し自在に取付られるように構成されている。この排出シュートのアウト玉落下部の位置に相当する位置にして、下タンクの前壁に対し、アウト玉計数器取付台を着脱自在に設けた構成が開示されている。【０００３】  そして、上記の従来技術では、このような構成をとることによって、１）パチンコ機の機種によるアウト玉の排出量の変化に対応するとともに、パチンコ機の機種に対しても、その設定位置に容易に対処できる。２）アウト玉排出シュートは、下タンクの前壁に対して、アウト玉の排出落下位置の左右により、その形状が左右対称的に異なるものであり、アウト玉計数器取付台は、下タンクの前壁に対して、取付ける際にアウト玉の排出落下位置の左右に対応して、上下転倒して使用できる形状のものである。との機能・効果が開示されている。【０００４】  また、この特許第２７２１３２８号の明細書には、上下のタンクに形成されている両側底面１２、１２、１４、１４が両側壁３、３、５、５から中央底面１１、１３方向に傾斜され、かつ、この中央底面１１、１３が下タンクの前壁１５に形成された切欠開放部１６方向（アウト玉排出シュートＣの切欠開放部３０方向）に傾斜して構成が、また、このアウト玉排出シュートＣの切欠開放部３０が、左右のアウト玉タンクの下タンク前壁に対して対応するために、アウト玉の排出落下位置の左右に応して、その形状が左右対称に形成されている。即ち、アウト玉排出シュートは、左右各々の専用部品として形成されている。【０００５】  しかしながら、上記した従来技術にあっては、パチンコ機から排出されるアウト玉、セーフ玉等は、アウト玉タンク本体の上下のタンクに形成されている両側底面１２、１２、１４、１４から中央底面１１、１３方向に流れるため、パチンコ玉が多量に排出された場合に中央底面１１、１３方向の流れが集中し、その部分にパチンコ玉が滞留したり、押し合ったりしてアウト玉排出シュートＣの切欠開放部３０方向にスムースに流れない恐れがあった。
また、アウト玉排出シュートＣは、左右のアウト玉タンク本体に対応させるため、その専用部品として設定されているため、量産効果、管理コストなどが左右共通部品と比較して不利であった。更に、左右のアウト玉タンク本体にたいして、アウト玉計数器取付台をその都度付替えなければならず、組付工数もかかると言う諸問題点があった。【０００６】
【特許文献１】  特許第２７２１３２８号（特開平０９−１５５０３４号）公報
【発明の開示】
【発明が解決しようとする課題】
【０００７】  本発明は、パチンコ機に対して、前後、左右、ならびに上下方向に位置調整可能なアウト玉タンクにおいて、前記アウト玉タンクは、排出パチンコ玉受皿と、該排出パチンコ玉受皿を前後方向に調整可能に支持するパチンコ玉排出樋と、前記パチンコ玉排出樋を取付ベースに対して、左右ならびに上下に調整可能な調整部材と、前記アウト玉タンクをパチンコ機の背面に設けられた支持部材に取付ける取付ベースとを備え、前記排出パチンコ玉受皿は、中央部に後方向に下り傾斜した中央底面と、該中央底面の両側に連接され、前方向ならびに中央底面側にかけて下り傾斜したパチンコ玉受面と、前記中央底面とパチンコ玉受面の前縁に立設された前壁と、前記パチンコ玉受面の各々三辺に立設され、前記中央底面側に切欠部を形成した周壁とを備えることによって、パチンコ機から排出されたパチンコ玉が中央底面の後方ならびに側方から幾つかに分流して中央底面に流入するため、多量のパチンコ玉が同時に排出された場合であっても、中央底面に滞留することなく順次排出シュート方向に流れて排出されるアウト玉タンクを提供することを目的とする。
【課題を解決するための手段】
【０００８】  上記課題を解決するため、本発明においては、パチンコ機に対して、前後、左右、ならびに上下方向に位置調整可能なアウト玉タンクにおいて、前記アウト玉タンクは、排出パチンコ玉受皿と、該排出パチンコ玉受皿を前後方向に調整可能に支持するパチンコ玉排出樋と、前記パチンコ玉排出樋を取付ベースに対して、左右ならびに上下に調整可能な調整部材と、前記アウト玉タンクをパチンコ機の背面に設けられた支持部材に取付ける取付ベースとを備え、前記排出パチンコ玉受皿は、中央部に後方向に下り傾斜した中央底面と、該中央底面の両側に連接され、前方向ならびに中央底面側にかけて下り傾斜したパチンコ玉受面と、前記中央底面とパチンコ玉受面の前縁に立設された前壁と、前記パチンコ玉受面の各々三辺に立設され、前記中央底面側に切欠部を形成した周壁とを備えたものである。【０００９】  このことにより、パチンコ機から排出されたパチンコ玉は、一旦アウト玉タンクの排出パチンコ玉受皿に落下するが、この落下したパチンコ玉は、主に排出パチンコ玉受皿に形成されたパチンコ玉受面で受け止められる。そして、パチンコ玉受面で受け止められたパチンコ玉は、パチンコ玉受面の傾斜に沿ってパチンコ玉受面と中央底面との前壁方向の交点にながれる。このパチンコ玉の流れの途中で一部のパチンコ玉は、切欠部から中央底面に順次流れ込む、そして、残りのパチンコ玉は、パチンコ玉受面と中央底面との交点部分から中央底面の最前方から中央底面に流れ込む。このように中央底面には、パチンコ玉がバラケタ状態で流れ込むことになり、比較的整列した状態でパチンコ玉排出樋に流れ込む。このためアウト玉タンクに、パチンコ機の機種によって、一時期に多量のパチンコ玉が排出されたとしてもパチンコ玉は、途中で目詰まりなどを起こすことなくパチンコ玉排出樋から排出シュートに整列して流れ、玉計数機で正確に計数された後に回収装置を介して回収される。【００１０】  次の発明は、前記調整部材は、パチンコ玉排出樋の下面に突設され、後壁下縁に切欠凹部を形成するとともに、前壁を後壁に対して長く形成した外筒と、後壁と前壁の下縁に弾性係合片を形成するとともに、両側壁の下縁から下側開口内部に延設された弾性片を備えた内筒と、前記内筒をスライド可能に支持するベース部材とを備え、前記内筒に形成された弾性係合片を前記外筒の後壁下縁に形成された切欠凹部から露出するようにして前記内筒を外筒に内嵌させるとともに、前記内筒に形成された弾性片を取付ベースに形成された係合部に弾接的に係合させることによって、前記内筒を前記取付ベースにスライド可能に嵌合支持し、前記パチンコ玉排出樋を前記取付ベースに対して上下、左右方向に調整可能に組付けたものである。【００１１】  このことにより、排出パチンコ玉受皿とパチンコ玉排出樋ならびに内筒を取付ベース上に上下、左右ならびに前後方向に調整可能に組立た後に、パチンコ機背面の支持部材に取付、パチンコ玉をアウト玉タンクに落下させたときに該パチンコ玉が、排出パチンコ玉受皿の前方に集中し、排出パチンコ玉受皿を前方下向き方向に傾ける荷重が加わったとしても、矩形状外筒の前壁が内筒の前壁に当接し、排出パチンコ玉受皿が傾くのを防止して、パチンコ���が排出パチンコ玉受皿からこぼれるのを回避している。また、外筒を内筒に対して最下方へ引き下げた場合であっても、外筒の後壁下縁に形成された切欠凹部から内筒の弾性係合片が露出しているので、その部分を押すことによって内筒をベース部材から容易に取外すことができる。【００１２】  次の発明は、前記パチンコ玉排出樋は、パチンコ玉の排出方向に下り傾斜した排出通路と、少なくとも該排出通路の両側に立設された側壁と、該側壁の玉排出口側端縁に一体に設けられた排出シュート取付枠とを備え、前記排出シュート取付枠は、前記両側壁から各々外方向に延設された前板と、前記前板と対向して形成された後板と、前記前板と後板を連結する架設橋と、前記前板と後板と架設橋とで画成された排出シュートの取付空隔とを備え、かつ、前記前板と後板の長手方向の端部側に前記取付空隔内方向に折曲され、かつ、該折曲面を左右外方向に下り傾斜した排出シュート係止片を少なくとも前記前板と後板の一方の下縁に垂設するとともに、前記後板の取付空隔側に前記玉排出口と略同一幅を有する前記排出シュートの嵌合突壁を形成したものである。【００１３】  このことにより、パチンコ玉排出樋の製作時に排出シュートを取付るための排出シュート取付枠も同時に製作することができ、製作工程の短縮化が図れる。【００１４】  次の発明は、前記排出シュートは、パチンコ玉の排出方向に下り傾斜した底壁と、該底壁の両縁に立設された前壁ならびに後壁と、該前壁と後壁の両端に形成された左右の壁と、それらの壁の内部に画成されたパチンコ玉通路を備えた略長矩形状を成し、その前壁と後壁の各々対向した位置に前記排出通路の玉排出口に対面する凹形状の切欠開放部を形成するとともに、先端側下面に垂設された前記排出シュート係止片に当接する係止突起を備え、前記パチンコ玉排出樋の玉排出口側端縁に一体に設けられた排出シュート取付枠に画成されている取付空隔内に、該排出シュートに形成されている凹形状の切欠開放部が前記排出シュート取付枠の後板に突設された嵌合突壁に嵌合するように、かつ、前記係止突起が排出シュート取付枠に形成された排出シュート係止片に当接するようにして配設されたものである。【００１５】  このことにより、排出シュートは、排出シュート取付枠に画成された取付空隔内での前後、左右ならびに上下の移動が規制された状態で、確実に保持される。しかも、排出シュートに形成された凹形状の切欠開放部は、後板と前板に各々対象となる位置に形成されているため、左右のアウト玉タンクに対して勝手違いにして用いることができ、反対側の列に配置されている遊技機（パチンコ機）に対して取付られたアウト玉タンクにも他の部品を用いることなく排出シュートを容易に取付けることができ、量産効果、管理アイテム上有利である。【００１６】  次の発明は、前記排出シュートの後壁と前壁の左壁側に嵌合支持枠を形成するとともに、該嵌合支持枠に玉計数機を抱持した前記玉計数機保持枠を微揺動可能に嵌合係止した後に、該排出シュートを前記パチンコ玉排出樋の排出シュート取付枠に配設したものである。【００１７】  このことにより、排出されたパチンコ玉が玉計数機の筒部を通過する際に、パチンコ玉がその筒部の内側や螺旋管内���に衝突して玉計数機を微揺動させる。この微揺動に伴って玉計数機保持枠が排出シュートに対して微揺動する。この微揺動により、玉計数機に接続されている螺旋管が振動し、パチンコ玉が螺旋管内部につまり故障の原因となる事態を防止している。
【発明の効果】
【００１８】  本発明は、パチンコ機に対して、前後、左右、ならびに上下方向に位置調整可能なアウト玉タンクにおいて、前記アウト玉タンクは、排出パチンコ玉受皿と、該排出パチンコ玉受皿を前後方向に調整可能に支持するパチンコ玉排出樋と、前記パチンコ玉排出樋を取付ベースに対して、左右ならびに上下に調整可能な調整部材と、前記アウト玉タンクをパチンコ機の背面に設けられた支持部材に取付ける取付ベースとを備え、前記排出パチンコ玉受皿は、中央部に後方向に下り傾斜した中央底面と、該中央底面の両側に連接され、前方向ならびに中央底面側にかけて下り傾斜したパチンコ玉受面と、前記中央底面とパチンコ玉受面の前縁に立設された前壁と、前記パチンコ玉受面の各々三辺に立設され、前記中央底面側に切欠部を形成した周壁とを備えることによって、パチンコ機から排出されたパチンコ玉が中央底面の後方ならびに側方から幾つかに分流して中央底面に流入するため、多量のパチンコ玉が同時に排出された場合であっても、中央底面に滞留することなく順次排出シュート方向に流れて排出されるという効果を得ることができる。
【発明を実施するための最良の形態】
【００１９】  以下、本発明を実施するための最良の形態を、図面に基づいて説明する。図１は、アウト玉タンクと排出シュートならびに計数機、計数機保持枠との組立関係を示した斜視図、図２は、同分解斜視図、図３は、アウト玉タンクを構成する排出パチンコ玉受皿を示した斜視図、図４は、同パチンコ玉排出樋を示した斜視図、図５は、同内筒を示した斜視図、図６は、同ベース部材を示した斜視図、図７は、排出シュートを示した斜視図、図８は、玉計数機の概略を示した斜視図、図９は、玉計数機保持枠を示した斜視図である。【００２０】  本発明のアウト玉タンク１は、図１に示すように、排出パチンコ玉受皿１０と、該排出パチンコ玉受皿１０を前後方向（パチンコ機に接近する方向が「前」、離れる方向が「後」とする）にスライド可能に支持しているパチンコ玉排出樋２０と、パチンコ玉排出樋２０の裏面に一体に設けられた外筒３０と、外筒３０に内嵌する内筒４０と、内筒４０を左右方向にスライド可能に支持する取付ベース５０とで構成されている。尚、外筒３０と内筒４０ならびに取付ベース５０を総称して調整部材と呼ぶ。【００２１】  排出パチンコ玉受皿１０は、図１〜図３に示すように、中央部に後方向（排出シュート６０方向）に下り傾斜した中央底面１１が形成されていて、該中央底面１１の両側には、パチンコ玉受面１２が連接されている。そして、中央底面１１とパチンコ玉受面１２の前方（支持部材へ取付た状態でパチンコ機側）には、前壁１３が立設されている。また、パチンコ玉受面１２の周囲には、前壁１３と接続した側壁１５と後壁１６ならびに中央底面１１とパチンコ玉受面１２の連接部分に立設された境壁１７が設けられている。（尚、側壁１５と後壁１６ならびに境壁１７を総称して周壁と称する。）また、この周壁の境壁１７と中央底面１１とパチンコ玉受面１２の連接縁と前壁１３との接点部分Ｐにかけては、切欠部１４が形成されている。そして、このパチンコ玉受面１２は、後壁１６から前壁１３方向に下り傾斜に、側壁１５から切欠部１４方向に下り傾斜するように形成されている。即ち、パチンコ玉受面１２の前述の接点部分Ｐが一番低くなる（前壁１３に対して最も深く）ように収束されており、中央底面１１に対しては最も高い位置に収束される傾斜面として形成されている。また、この排出パチンコ玉受皿１０の裏面には、パチンコ玉排出樋２０にスライド可能に嵌合する弾性嵌合爪１８が設けられている。尚、排出パチンコ玉受皿１０には、排出され落下してくるパチンコ玉の衝撃による衝撃音や跳ね返りによる外部への飛び出しなどを軽減するために、樹脂パットなどの敷物を敷設するのが一般的である。【００２２】  パチンコ玉排出樋２０は、図１、図２ならびに図４に示すように、排出通路２１と該排出通路２１と一体に成型された排出シュート取付枠２６ならびに調整部材である外筒３０とより構成されている。【００２３】  前述の排出通路２１は、パチンコ玉の排出方向に下り傾斜した傾斜面２２と該傾斜面２２の両側縁に立設された両側壁２３と前縁に立設された前壁２４ならびに両側壁２３の外側に設けられたスライド係合部２５とを備えている。【００２４】  この排出通路２１の傾斜面２２の幅（両側壁２３の間隔）は、前述した排出パチンコ玉受皿１０の中央底面１１の幅より若干幅広に設定されている。即ち、排出パチンコ玉受皿１０を排出通路２１の組付けた時に、中央底面１１の開口１１１が両側壁２３の間に挿入することができるように設定されている。そして、排出通路２１の傾斜面２２と両側壁２３の間に挿入された排出パチンコ玉受皿１０の中央底面１１との間は、パチンコ玉が前壁２４方向に流れない高さに設定されている。従って、前壁２４を省略してもパチンコ玉が排出通路２１の前方から漏れるようなことはない。（このため、実施例では、前壁２４を形成しているが、この前壁２４を省略して構成の簡略化を図ることもできる。）【００２５】  両側壁２３の外側に設けられたスライド係合部２５は、側壁２３の前後部分に垂直方向に伸びた一対の垂直板２５１とその垂直板２５１を繋ぐ水平板２５２を設け、該側壁２３と水平板２５２との間に弾性嵌合爪１８のスライド溝２５３を画成している。また、水平板２５２の内側には、前述の弾性嵌合爪１８の先端に形成された爪１８１がスライド可能に係合する係合溝２５４が形成されている。この係合溝２５４の内部には、図示しないが一般的に用いられている凹凸が形成され、弾性嵌合爪１８がスライドするときにクリック感がでるようにされている。【００２６】  排出シュート取付枠２６は、排出通路２１の前方の形成された玉排出口２１１側に前記の排出通路２１と一体に成型されている。この排出シュート取付枠２６は、排出通路２１の両側壁２３の玉排出口２１１側端縁から外方（以下、左右方向とする）に伸びた前板２７とこの前板２７と対向して間隔を空けて形成された後板２８と前板２７と後板２８との間に画成された取付空隔２９とを備えている。また前板２７と後板２８とはその両端部分を架設橋２６１で接続されている。そして、後板２８の取付空隔２９側には、玉排出口２１１の幅と略同幅の嵌合突壁２８１が突設されている。一方、前板２７の下縁には、架設橋２６１との接続位置に対向する位置に下方に延設された一対の排出シュート係止片２７１が設けられている。この排出シュート係止片２７１の先端側は、取付空隔２９側に折曲され、後述する排出シュート６０の下方向の移動を規制する当接片２７２が形成されている。この当接片２７２は、いずれも後述する排出シュート６０の底壁６３の傾斜に対応できるように左右方向に下り勾配に形成されている。【００２７】  外筒３０は、図１、図２ならびに図４に示すように、後述する内筒４０と取付ベース５０とで調整部材を構成するもので、パチンコ玉排出樋２０の排出通路２１裏面から下方向に突設されている。【００２８】  外筒３０は、後壁３１と前壁３２ならびに両側壁３３を形成するとともに、排出通路２１裏面を天井として、下方が開放された全体として矩形の箱状をなしている。そして、後壁３１の下縁には、切欠凹部３１１が形成され、前壁３２より短く形成されている。【００２９】  また、外筒３０の両側壁３３には、弾性係合片３４が設けられている。この弾性係合片３４は、両側壁３３の各々の下縁から上方に形成された２本の溝３４１の間に形成された弾性係合片本体３４１と、該弾性係合片本体３４１を途中から左右方向（外方）に折曲して形成された把��片３４２と、該弾性係合片本体３４１と把持片３４２の折曲部の裏面に下方に延設された前述の弾性係合片本体３４１より幅狭の係止片３４３が設けられている。この係止片３４３の先端には、両側壁３３の内方に突出した係止爪３４４が突設されている。【００３０】  内筒４０は、図１、図２ならびに図５に示すように、外筒３０の後壁３１と前壁３２ならびに両側壁３３に囲まれた箱内部に嵌合されるもので、前述の箱内部より、後壁４１と前壁４２と両側壁４３を有する若干小さめの箱形状に形成されている。この内筒４０の後壁４１と前壁４２の下縁には、各々の下縁から上方に形成された２本の溝４４の間に形成された嵌合係止片４５が形成されている。そして、嵌合係止片４５の先端には、前後方向に突出した嵌合爪４５１が突設されている。【００３１】  また、内筒４０の両側壁４３（左右の壁）には、内筒４０の高さ方向に複数の係止孔４３１が形成されている。そして、これらの係止孔４３１の両側に沿ってガイド壁４３２が突設されている。【００３２】  更に、この内筒４０の下方開口４６には、両側壁４３（左右の壁）の下縁から開口４６の内方に突出した弾性片４３３が設けられている。この弾性片４３３の先端には、下方に突出した係合爪４３４が形成されている。【００３３】  取付ベース５０は、前述の外筒３０と内筒４０とともに調整部材を構成するものであって、パチンコ機の背面に設けられた支持部材（図示しない）に固定されるものである。【００３４】  この取付ベース５０は、左右方向に長い長矩形の板状を成している。そして、前後方向中央には、左右方向に長い２本スライド溝５１が間隔をあけて形成されている。このスライド溝５１の間には、内筒４０をスライド可能に載置するスライド底壁５２が設けられている。そして、スライド底壁５２には、左右方向に間隔をおいて複数の係止桟５３が形成されている。一方、スライド溝５１の外側（前後方向）の側壁には、内筒４０に形成されている嵌合係止片４５の嵌合爪４５１が嵌合する摺動溝５４が設けられている。【００３５】  排出シュート６０は、図１、図２ならびに図７に示すように、パチンコ玉排出樋２０と一体に設けられた排出シュート取付枠２６の取付空隔２９に配設されるものであって、各部分構成は、左右長手方向中心線を中心として前後線対称に形成されている。（以下、図１、図２において、パチンコ玉排出樋２０の排出通路２１側を前、反対側を後とし、図中、左側を左壁、右側を右壁とする。）【００３６】  この排出シュート６０は、前壁６１と、この前壁６１に対して間隔をあけて形成された後壁６２と、この前壁６１と後壁６２の下縁を繋ぎ、パチンコ玉の排出方向（右から左方向）に下り傾斜した底壁６３と、前壁６１と後壁６２の右端を閉じるようにして形成された右壁６４と、左端を閉じるように形成された半球状の左壁６５と、それらの壁で画成されたパチンコ玉通路６６とを有する長矩形の箱形状を成している。そして、この半球状の左壁６５側の底壁６３には、パチンコ玉の排出孔６３１と左壁６５の内側から排出孔６３１の上方まで延びた傾斜壁６５１が延設されている。更に、このパチンコ玉通路６６の下り傾斜した底壁６３の途中には、前壁６１と後壁６２とに揺動可能に枢支されたパチンコ玉の整流振子６６１が臨んでいる。一方、その前壁６１と後壁６２には、各々対向した位置に前記排出通路２１の玉排出口２１１に対面する凹形状の切欠開放部６７を形成するとともに、右壁６４側下縁に排出シュート係止片２７１に当接する係止突起６８を垂設している。尚、右壁６４には、コネクター７１の保持部６４１が設けられている。【００３７】  更に、排出シュート６０の前壁６１と後壁６２の左壁６５側には、各々玉計数機保持枠８０を微揺動可能に支持する嵌合支持枠６９が設けられている。そして、この嵌合支持枠６９の前枠６９１の上面は半球状に形成されている。一方、底壁６３の左壁６５側には、パチンコ玉の排出孔６３１が形成されている。【００３８】  玉計数機７０は、図１、図２ならびに図８に示すように、一端にパチンコ玉が通過する筒部７２を設けた矩形状をなしていて、内部にカウンター（図示しない）を収納している一般に使用されているものである。この筒部７２には、パチンコ玉排出用の螺旋管９０が接続されている。【００３９】  玉計数機保持枠８０は、図１、図２ならびに図９に示すように、左側方と上方が開放された箱状の収納本体８１と、該収納本体８１の左側方上部から外方に延設された一対の係止片８２と、左側方上部から上方に延設された揺動片８３を備えている。係止片８２の先端には、内方に突出した爪８２１が突設されており、揺動片８３の先端側には、円筒の枢支軸８３１が外方に突設されている。【００４０】  次に、前述した各構成部品の組付状態について説明する。まず、取付ベース５０の上面に内筒４０をスライド可能に取付る。内筒４０の後壁４１と前壁４２の下縁に形成された嵌合係止片４５を取付ベース５０のスライド溝５１から押し込み摺動溝５４に勘合させる。このときに、内筒４０の弾性片４３３が取付ベース５０の係止桟５３に係合する。この状態で内筒４０を取付ベース５０上で強制的にスライドさせると、弾性片４３３と係止桟５３との係合が解除され内筒４０が移動して、所望の位置で再度弾性片４３３と係止桟５３とが係合され、その位置に固定される。（アウト玉タンク１の左右位置調整）【００４１】  次に、内筒４０に外筒３０を組付ける。（即ち、パチンコ玉排出樋２０を内筒４０に組付ける。）まず、外筒３０の前壁３２を内筒４０の前壁４２の外側に当接させるようにして、外筒３０を上方から内筒４０に被せる。このとき、外筒３０に形成されている弾性係合片３４の把持片３４２を持ち上げて係止片３４３を広げておく。そして、弾性係合片３４の両側の溝を内筒４０のガイド壁４３２に嵌合させた状態で外筒３０を内筒４０に嵌合させ、任意の位置で把持片３４２を元に戻し、係止爪３４４を係止孔４３１に係合させ、高さを調整する。（アウト玉タンク１の上下調整）【００４２】  次に、パチンコ玉排出樋２０と排出パチンコ玉受皿１０との組付けは、パチンコ玉排出樋２０の両側壁２３に形成したスライド係合部２５に排出パチンコ玉受皿１０に形成した弾性嵌合爪１８を嵌合することによって成される。このときに、排出パチンコ玉受皿１０の中央底面１１の開口１１１部分がパチンコ玉排出樋２０の両側壁２３の間に入り込み、中央底面１１の開口１１１部分とパチンコ玉排出樋２０の傾斜面２２との間（上下方向）をパチンコ玉が通過しないような間隔に組付けられる。【００４３】  一方、パチンコ玉排出樋２０に形成されている排出シュート取付枠２６の取付空隔２９の内部に配設される排出シュート６０には、先に、玉計数機７０と玉計数機保持枠８０が組み付けられる。【００４４】  先ず、玉計数機７０を玉計数機保持枠８０の収納本体８１の上方開放部分から内部に挿入して、係止片８２で収納本体８１内部に係止保持する。次に、玉計数機７０を保持した玉計数機保持枠８０を排出シュート６０に組付ける。【００４５】  玉計数機保持枠８０と排出シュート６０の組付けは、該玉計数機保持枠８０の収納本体８１の左側方上部から上方に延設された揺動片８３を撓ませながら排出シュート６０の前壁６１と後壁６２に形成されている嵌合支持枠６９に挿入して、撓みを復元させることによって排出シュート６０に組付ける。このとき排出シュート６０の底壁６３が右壁６４方向から左壁６５方向に下り傾斜している関係で玉計数機保持枠８０の収納本体８１上端と底壁６３との間に若干の隙間が生じる。一方、嵌合支持枠６９に挿入された揺動片８３は、該揺動片８３に形成された円筒（半円でも可）の枢支軸８３１がこの嵌合支持枠６９の上面を半球状に形成した前枠６９１に枢支される。このため、玉計数機保持枠８０は、収納本体８１上端と底壁６３との間に生じた若干の隙間の分だけ微揺動することが可能に軸止されていることになる。【００４６】  最後に、玉計数機７０と玉計数機保持枠８０を組付けた排出シュート６０をパチンコ玉排出樋２０に設けられた排出シュート取付枠２６の取付空隔２９内に組付ける。この組付けは、排出シュート６０に形成した切欠開放部６７が排出シュート取付枠２６の取付空隔２９内に突出した嵌合突壁２８１の嵌合するように排出シュート取付枠２６の下方から取付空隔２９内に圧入する。このとき、排出シュート６０の前壁６１と後壁６２ならびに排出シュート取付枠２６が若干撓むことによって押し込まれる。そして、取付空隔２９内の押し込まれた排出シュート６０は、切欠開放部６７と嵌合突壁２８１の嵌合により左右方向の動きが規制され、架設橋２６１と排出シュート係止片２７１で上下方向の動きが規制される。これらの規制により、排出シュート６０は、排出シュート取付枠２６に確実に保持される。尚、これらの組付手順は、適宜変更することも可能である。【００４７】  次に、パチンコ機から排出されたパチンコ玉の流れについて説明する。先ず、玉計数機７０と玉計数機保持枠８０を組付けた状態の排出シュート６０を組付けたところのアウト玉タンク１を遊技機（パチンコ機）の背面に設けられている支持部材（図示しない）に固定する。その後に、遊技機（パチンコ機）の排出位置に対して、内筒４０を左右にスライドさせて左右の位置を調整し、更に、内筒４０に対して、外筒３０を上下に移動させて排出位置との高さ方向の位置を調整する。最後にパチンコ玉排出樋２０に対して排出パチンコ玉受皿１０を排出位置に対して、前後に移動させ前後方向の位置を調整する。【００４８】  遊技機（パチンコ機）の排出位置に対して位置調整が終了したアウト玉タンク１にパチンコ機から排出されたパチンコ玉が流下すると、まず、該パチンコ玉は、排出パチンコ玉受皿１０に落下する。そして、排出パチンコ玉受皿１０の中央底面１１上に落下したパチンコ玉は、そのまま、中央底面１１の傾斜によって開口１１１から排出通路２１に流出して排出シュート６０に至る（図３矢印ａ）。排出パチンコ玉受皿１０のパチンコ玉受面１２上に落下したパチンコ玉のうち、比較的中央底面１１側に落下したパチンコ玉は、パチンコ玉受面１２の中央底面１１方向への傾斜に沿って中央底面１１に流出する（図３矢印ｂ）。また、比較的外方（側壁１５）に近い位置に落下したパチンコ玉は、パチンコ玉受面１２と中央底面１１の接点部分（交点）Ｐ（中央底面１１の最も奥の部分）方向に向かって流れる（図３矢印ｃ）。このように、排出パチンコ玉受皿１０に落下したパチンコ玉は、一方方向の流れに集中することなく複数の方向からパチンコ玉排出樋２０の形成された排出通路２１に流出する。排出通路２１に流出されたパチンコ玉は、排出シュート６０に形成されている排出孔６３１から玉計数機７０の筒部７２を通過して外部に排出される。この筒部７２を通過するときに通過するパチンコ玉が計数される。
【図面の簡単な説明】
【００４９】
【図１】  アウト玉タンクと排出シュートならびに計数機、計数機保持枠との組立関係を示した斜視図である。
【図２】  同分解斜視図である。
【図３】  アウト玉タンクを構成する排出パチンコ玉受皿を示した斜視図である。
【図４】  同パチンコ玉排出樋を示した斜視図である。
【図５】  同内筒を示した斜視図である。
【図６】  同ベース部材を示した斜視図である。
【図７】  排出シュートを示した斜視図である。
【図８】  玉計数機の概略を示した斜視図である。
【図９】  玉計数機保持枠を示した斜視図である。
【符号の説明】
【００５０】１  アウト玉タンク
１０  排出パチンコ玉受皿
１１  中央底面
１１１  開口
１２  パチンコ玉受面
１３  前壁
１４  切欠部
１５  側壁
１６  後壁
１７  境壁
１８  弾性嵌合爪
１８１  爪
Ｐ  接点部分（パチンコ玉受面１２と中央底面１１の交点）
２０  パチンコ玉排出樋
２１  排出通路
２１１  玉排出口
２２  傾斜面
２３  （両）側壁
２４  前壁
２５  スライド係合部
２５１  垂直板
２５２  水平板
２５３  スライド溝
２５４  係合溝
２６  排出シュート取付枠
２６１  架設橋
２７  前板
２７１  排出シュート係止片
２７２  当接片
２８  後板
２８１  嵌合突壁
２９  取付空隔
３０  （矩形状）外筒
３１  後壁
３１１  切欠凹部
３２  前壁
３３  （両）側壁
３４  弾性係合片
３４１  弾性係合片本体
３４２  把持片
３４３  係止片
３４４  係止爪
４０  （矩形状）内筒
４１  後壁
４２  前壁
４３  （両）側壁
４３１  係止孔
４３２  ガイド壁
４３３  弾性片
４３４  係合爪
４４  溝
４５  嵌合係止片
４５１  嵌合爪
４６  下方開口
５０  取付ベース
５１  スライド溝
５２  スライド底壁
５３  係止桟
５４  摺動溝
６０  排出シュート
６１  前壁
６２  後壁
６３  底壁
６３１  排出孔
６４  右壁
６４１  保持部
６５  左壁
６５１  傾斜壁
６６  パチンコ玉通路
６６１  整流振子
６７  切欠開放部
６８  係止突起
６９  嵌合支持枠
６９１  前枠
７０  玉計数機
７１  コネクター
７２  筒部
８０  玉計数機保持枠
８１  収納本体
８２  係止片
８２１  爪
８３  揺動片
８３１  枢支軸
９０  螺旋管
【図１】
2007283051.tif 000003
【図２】
2007283051.tif 000004
【図３】
2007283051.tif 000005
【図４】
2007283051.tif 000006
【図５】
2007283051.tif 000007
【図６】
2007283051.tif 000008
【図７】
2007283051.tif 000009
【図８】
2007283051.tif 000010
【図９】
2007283051.tif 000011